(57)【要約】  空気コンベヤーは吊り下げられた物品のエアジェットによる輸送を可能にし、それは物品吊り下げ案内レール（６）、及び吊り下げ案内レール（６）の高さより下の高さで平行態様で取付けられた支持梁（７）を含み、コンベヤー付属品の取付けを可能にする。支持梁（７）は好ましくは高さ（方向Ｙ）に対し調整可能であり、かつ物品のための案内手段（１１）を支持する。前記案内手段（１１）は特に案内棒（１１ａ）として具体化され、その側方位置（方向Ｘ）は調整可能である。【選択図】  図１
2008528401.tif 000002
【特許請求の範囲】
【請求項１】
エアジェットにより吊り下げられた物品の輸送を可能にしかつ物品のための吊り下げ案内レール（６）を含む空気コンベヤーにおいて、それが支持梁（７）を含み、この支持梁（７）が、実質的に平行な態様でかつ吊り下げ案内レール（６）の高さより下の高さで取付けられ、コンベヤー付属品を取付けることを可能にすることを特徴とするコンベヤー。
【請求項２】
支持梁（７）が物品の経路の下に配置されていることを特徴とする請求項１に記載のコンベヤー。
【請求項３】
支持梁（７）が吊り下げ案内レール（６）に関して中心に置かれていることを特徴とする請求項１または２に記載のコンベヤー。
【請求項４】
支持梁（７）が支持梁に沿った異なる位置で支持梁上に少なくとも一つの付属品を取付けることを可能にする取付け手段を含むことを特徴とする請求項１から３の一つに記載のコンベヤー。
【請求項５】
取付け手段が少なくとも一つの縦方向レール（７ｃ）を含むことを特徴とする請求項４に記載のコンベヤー。
【請求項６】
支持梁（７）が中空でありかつ少なくとも一つの縦方向開口（７ａ）を含み、前記縦方向開口（７ａ）の両側の支持梁の壁（７ｂ）が取付けレール（７ｃ）を形成することを特徴とする請求項５に記載のコンベヤー。
【請求項７】
支持梁の縦方向スロットが支持梁の全長に沿って延びる縦方向取付けスリット（７ａ）であることを特徴とする請求項６に記載のコンベヤー。
【請求項８】
支持梁が断面で閉じられていない輪郭を示すことを特徴とする請求項７に記載のコンベヤー。
【請求項９】
支持梁上に取付けられた少なくとも一つのコンベヤー付属品を含むことを特徴とする請求項１から８の一つに記載のコンベヤー。
【請求項１０】
支持梁（７）上に取付けられた少なくとも一つのコンベヤー付属品が物品のための案内手段（１１）からなることを特徴とする請求項９に記載のコンベヤー。
【請求項１１】
案内手段（１１）が吊り下げ案内レール（６）に実質的に平行な二つの案内棒（１１ａ）を含むことを特徴とする請求項１０に記載のコンベヤー。
【請求項１２】
吊り下げ案内手段（６）の吊り下げ面（Ｐ）に実質的に平行な面内及び物品の運搬方向に実質的に垂直な横断方向（Ｘ）内の案内手段（１１）の位置を調整するための第一調整手段（１２，２０）を含むことを特徴とする請求項９または１０に記載のコンベヤー。
【請求項１３】
第一調整手段（１２，２０）が支持梁（７）により支持されていることを特徴とする請求項１２に記載のコンベヤー。
【請求項１４】
第一調整手段（２０）が少なくとも一つの作動器（２１）を含み、そのモーター軸（２１ｂ）が支持梁の縦方向（Ｚ）に従って本質的に配向されていることを特徴とする請求項１３に記載のコンベヤー。
【請求項１５】
第一調整手段が線状ジャッキ状作動器（２１）を含むことを特徴とする請求項１２から１４の一つに記載のコンベヤー。
【請求項１６】
線状ジャッキ状作動器のモーター軸が支持梁の縦方向（Ｚ）に本質的に平行に配向されており、第一調整手段が運動伝達手段（２５，２６）を含み、この運動伝達手段（２５，２６）が作動器（２１）と物品のための案内手段（１１）の間に挿入され、かつ作動器のモーター軸（２１ｂ）の縦方向平行移動を物品の運搬方向に横断的な方向（Ｘ）の平行移動へ変換することを可能にすることを特徴とする請求項１５に記載のコンベヤー。
【請求項１７】
運動伝達手段（２５，２６）が回転円盤及び少なくとも一つの関節連結されたリンク（２６）を含むことを特徴とする請求項１６に記載のコンベヤー。
【請求項１８】
案内手段が少なくとも一つの案内棒（１１ａ）を含むこと、及び第一調整手段が各案内棒（１１ａ）のために少なくとも二つの可動支持体（１３，１４，１５）を含み、これらの可動支持体が、案内棒（１１ａ）を支持梁（７）に連結し、支持梁（７）に沿って間隔を置いて離れ、同じ作動器（２１）により同時に起動されることを特徴とする請求項１２から１７の一つに記載のコンベヤー。
【請求項１９】
案内手段が吊り下げ案内レール（６）に実質的に平行な二つの案内棒（１１ａ）を含むこと、及び第一調整手段が二つの案内棒の互いに関しての位置（二つの案内棒が離れる運動または近寄る運動）の同時調整を可能にすることを特徴とする請求項１２から１８の一つに記載のコンベヤー。
【請求項２０】
支持梁（７）の高さ方向の位置を調整するための第二調整手段（８ｂ，９，１０）を含むことを特徴とする請求項１から１９の一つに記載のコンベヤー。
【請求項２１】
第二調整手段が少なくとも一つの線状ジャッキ状作動器（１０）を含むことを特徴とする請求項２０に記載のコンベヤー。
【請求項２２】
物品のための吊り下げ案内レール（６）を取付けられたブロワー箱（２）を含むこと、及び支持梁（７）がこのブロワー箱（２）に吊り下げられることを特徴とする請求項１から２１の一つに記載のコンベヤー。
【発明の詳細な説明】
【技術分野】
【０００１】
本発明は空のプラスチック容器（瓶、フラスコ、予備成形物など）のような軽い吊り下げられた物品のエアジェットによる輸送の分野に関する。この分野において、本発明はコンベヤー付属品の取付け、特に（限定されないが）輸送される物品のための案内手段の取付けのための新しい手段を備えた空気コンベヤーに関する。より詳細には、これらの新しい取付け手段は、もし必要なら、コンベヤー付属品の位置（高さ及び／または輸送の方向に横断的な位置）のより容易な調整を可能とする。
【背景技術】
【０００２】
今日まで、例えば中空プラスチック容器（瓶、フラスコなど）のような軽い物品の輸送のために、空気コンベヤーを使用することが知られており、それらは物品が吊り下げられる吊り下げ案内レールを備えており、そして物品上に輸送空気ジェットが発生されるのを可能にしかつ吊り下げられた物品が吊り下げ案内レールに沿って推進されるための手段を備えている。
【０００３】
実際に、特に瓶またはフラスコのようなプラスチック容器の輸送に関して、物品は一般的にフランジとして知られているそれらの首の突出部により吊り下げられることが最も多く、吊り下げ案内レールは一般的に“首下案内具”として知られている二つの平行でかつ間隔を置いて離れた形材からなる。
【０００４】
吊り下げられた物品のための空気コンベヤーにおいて、輸送エアジェットの発生は少なくとも一つのブロアー箱により達成され、ブロアー箱は少なくとも一つのファンにより圧縮空気を供給されかつ複数の吹き出し開口またはスリットを含む。これらの吹き出し開口またはスリットは物品の経路に沿って分配されかつ箱内の圧縮空気を物品をねらった複数の輸送エアジェットの形で逃がすことを可能とする。空気コンベヤーの形式に依存して、これらの輸送エアジェットはそれらが物品上に、それらの吊り下げ点（すなわち瓶、フラスコまたは予備成形物の場合にはそれらのフランジ）の下及び／または上及び／または領域内に向けられるように発生されることができる。
【０００５】
吊り下げられた物品のための空気コンベヤーの分野の従来技術の例として、特に次の刊行物が引用されることができる：ＵＳ−Ａ−５５４２７８９，ＵＳ−Ａ−５２４６３１４，ＷＯ−Ａ−９７４６４７２，ＦＲ−Ａ−２７６７５１７，ＷＯ−Ａ−２００４／０６７４２０，ＷＯ−Ａ−２００４／０９６６８０及びＥＰ−Ａ−０７０５７７７。
【０００６】
吊り下げられた物品のための空気コンベヤーにおいて、物品の輸送を改善または制御可能とするコンベヤー付属品を補足することもまた知られている。
【０００７】
コンベヤー付属品の第一の既知の形式は追加の案内手段からなり、それらは輸送される物品の傾斜が機械的に制限されることを可能にする。これらの案内手段は吊り下げられた物品の運搬に重要な役割を果たす。
【０００８】
特に、空気コンベヤーに物品の経路の両側に取付けられた側方案内具を備えることが普通である。これらの側方案内具は物品吊り下げ案内レール（首下案内具）の高さより下の高さに配置され、物品がその吊り下げ点（フランジ）の下のその本体の高さで案内されることを可能にする。側方案内具は輸送される物品の横揺れが制限されることを可能にし、かくして輸送時の物品の詰まりまたは引っ掛りの外れの危険が制限されることを可能にする。ある場合にはコンベヤーは二つの異なる高さにそれぞれ配置された幾つかの対の側方案内具を含む。
【０００９】
各物品のその輸送方向の傾斜を制限するような高さに配置された“縦方向案内具”と呼ばれる一対の案内具をコンベヤーに備えることもまた知られている。この形式の案内具を備えたコンベヤーは例えばフランス特許出願ＦＲ−Ａ−２７６７５１７に記載されている。特に、この刊行物の図１は一対の縦方向案内具（“７”により示された上部案内具）及び一対の側方案内具（“６”により示された下部案内具）を備えたコンベヤーを示す。
【００１０】
一般的に、これらの追加の案内付属品（側方案内具または縦方向案内具）は案内付属品に沿って分配された複数の垂直支持体により地上に支持されるかまたはブロアー箱に取付けられる。例えば特許ＵＳ５５４２７８９（図１から６）を参照されたい。
【００１１】
従来技術の前述の空気コンベヤーにおいて、輸送される物品の形態が案内付属品の位置を決定することは理解される。より詳細には、側方案内具間または縦方向案内具間の間隔はこれらの案内具と物品の接触領域内の物品の寸法（例えば瓶の直径）に依存する。同様に、物品の吊り下げ点に関しての案内具の距離（すなわち案内具の高さ）は物品の形態に、この場合輸送される物品の高さに依存する。
【００１２】
従って、同じコンベヤーで、もし異なる形態の物品を輸送することを望むなら、案内付属品の高さ及び／または側方に対する位置（特に案内具間の間隔の調整）が容易に、迅速にかつ正確に調整されることができることが不可欠である。
【００１３】
この目的を考慮して、種々の解決策が今日まで既に刊行物ＵＳ−Ａ−５５４２７８９，ＷＯ  ２００４／０６７４２０，ＷＯ  ２００４／０９６６８０に提案されている。
【００１４】
特許ＵＳ−Ａ−５５４２７８９において、各案内具の位置を調整するための解決策は案内具の方に横断的に向けられかつ案内具に沿って規則正しく間隔を置かれたジャッキを用いることからなる。この解決策の主な不利は多数のジャッキの設置−実際にはコンベヤーの各メートル当り一つのジャッキ及び各案内具に対してのこれ−を課して、それを高価にすることである。この解決策の別の結果は、費用を最少とするために、二つまたは三つの位置を持つ空気圧式ジャッキが使用されなければならないこと、及び経済的観点から電気ジャッキ形式の多位置ジャッキを用いることが実行できないことである。このため、これらの案内具の位置を調整するための選択は非常に制限される。
【００１５】
特許出願ＷＯ  ２００４／０６７４２０は空気コンベヤーの側方案内具の位置が高さ及び側方の両方でジャッキ状作動器により調整されることができる異なる解決策を提案する。この解決策は多数の必要なジャッキ（実際にはコンベヤーの各メートルに対し案内具当り一対のジャッキ）を考慮に入れると極めて高価である。
【００１６】
特許出願ＷＯ  ２００４／０９６６８０はコンベヤー付属品、特に空気コンベヤーの側方案内具の側方位置を調整するための異なる解決策を提案する。前述の解決策と比べて、この解決策は設置されるジャッキ状作動器の数を減らすという利点を与え、結果として費用も少ない。
【００１７】
物品の上を覆うカバー（文献ＥＰ−Ａ−０７０５７７７において“９”により示された壁）及び／または空気偏向素子（文献ＥＰ−Ａ−０７０５７７７において“１２”により示された偏向壁）を備えた、例えばヨーロッパ特許出願ＥＰ−Ａ−０７０５７７７に記載されたコンベヤーのようなプラスチックまたは同様な瓶の輸送のための空気コンベヤーも存在する。コンベヤー上にこれらの付属品を取付けるため、そしてもし必要ならこれらの付属品の位置を調整して、特に輸送される物品の形態にこの位置を最も良く適応させるための調整のための簡単でかつ柔軟な解決策を得ることは興味のあることである。
【００１８】
更に、空気コンベヤーの異なる点での物品の存在及び可能なら速度を検出することができるセンサ（光電池、超音波センサなど）を空気コンベヤーに備えることもまた普通である。このために、コンベヤーに沿って異なる位置にこれらの付属品を取付けるための簡単でかつ柔軟な解決策を得ることも興味のあることである。加えて、この形式の付属品の空気コンベヤー上の位置はまた、輸送される物品の形態に依存し、結果として好ましくは容易に調整可能でなければならない。
【発明の開示】
【発明が解決しようとする課題】
【００１９】
本発明の主な目的は吊り下げられた物品の輸送のための空気コンベヤー上へのコンベヤー付属品の取付けを簡単にしかつより柔軟にする新しい技術的解決策を提供することである。
【００２０】
本発明の更なる目的は空気コンベヤーを多形態のものにするように、特に案内付属品のようなコンベヤー付属品の位置調整を簡単にすることができる新しい技術的解決策を提供することである。
【課題を解決するための手段】
【００２１】
本発明の対象物は、吊り下げられた物品のエアジェットによる輸送を可能にし、かつ物品のための吊り下げ案内レールを含む空気コンベヤーである。
【００２２】
本発明によれば、空気コンベヤーは支持梁を特徴的に含み、その支持梁は吊り下げ案内レールに実質的に平行な態様でかつ吊り下げ案内レールの高さより下の高さで取付けられ、かつコンベヤー付属品を取付けることを可能にする。
【００２３】
より詳細には、本発明によるコンベヤーは単独でまたは互いに組合せて次の追加的かつ任意の特徴を含む：
【００２４】
−  支持梁は物品の経路の下に配置され、好ましくは吊り下げ案内レールに関して中心に置かれている；
【００２５】
−  支持梁は支持梁に沿った異なる位置で少なくとも一つのコンベヤー付属品の支持梁上の取付けを可能にする取付け手段を含む；より詳細には、取付け手段は少なくとも一つの縦方向レールを含む；好ましくは、支持梁は中空でありかつ少なくとも一つの縦方向開口を含み、前記縦方向開口の両側の支持梁壁は取付けレールを形成する；支持梁の縦方向開口は好ましくは支持梁の全長に沿って延びる縦方向取付けスリットである；
【００２６】
−  コンベヤーは支持梁上に取付けられた少なくとも一つのコンベヤー付属品を含む；好ましくは、支持梁上に取付けられた少なくとも一つのコンベヤー付属品は物品のための案内手段からなる；好ましくは、前記案内手段は吊り下げ案内レールに実質的に平行である二つの案内棒を含む；
【００２７】
−  コンベヤーは吊り下げ案内レールの吊り下げ面に実質的に平行な面内及び物品の運搬方向に実質的に垂直な横断方向（Ｘ）内の案内手段の位置のための第一調整手段を含む；
【００２８】
−  前記第一調整手段は支持梁により支持される；
【００２９】
−  前記第一調整手段は少なくとも一つの作動器を含み、そのモーター軸は支持梁の縦方向（Ｚ）に従って本質的に配向されている；
【００３０】
−  前記第一調整手段は線状ジャッキ状作動器を含む；好ましくは、線状作動器のモーター軸は支持梁の縦方向（Ｚ）に本質的に平行に配向されており、そして第一調整手段は運動伝達手段を含み、この運動伝達手段が作動器と物品のための案内手段の間に挿入され、かつ作動器のモーター軸の縦方向平行移動を物品の運搬方向に横断的な方向（Ｘ）の平行移動に変換することを可能にする；より詳細には、前記運動伝達手段は回転円盤及び少なくとも一つの関節連結されたリンクを含む；
【００３１】
−  前記案内手段は少なくとも一つの案内棒を含み、前記第一調整手段は各案内棒のために案内棒を支持梁に連結する少なくとも二つの可動支持体を含み、それらは支持梁に沿って間隔を置いて離れ、それらは同じ作動器により同時に作動される；
【００３２】
−  前記案内手段は吊り下げ案内レールに実質的に平行な二つの案内棒を含み、前記第一調整手段は二つの案内棒の一方に関する他方の位置（二つの案内棒が離れたりまたは近寄る）の同時調整を可能とする；
【００３３】
−  コンベヤーは支持梁の高さ方向の位置を調整するための第二調整手段を含む；
【００３４】
−  前記第二調整手段は少なくとも一つの線状ジャッキ状作動器を含む；
【００３５】
−  コンベヤーはブロワー箱を含み、その上に物品のための吊り下げ案内レールが取付けられ、支持梁がこのブロワー箱に吊り下げられる。
【００３６】
図面の簡略説明
本発明の他の特徴及び利点が本発明による空気コンベヤーの好適実施態様の以下の詳細な説明を読むとより明らかとなるであろう。前記説明は本発明の非限定及び非排他的例としてかつ図面を参照して与えられる。
【００３７】
−  図１及び２は空気コンベヤーの一つの同じ部分の異なる視角からの二つの透視図であり、
【００３８】
−  図３は図１及び２のコンベヤーの基本案の物品の運搬方向に垂直な面での断面であり、
【００３９】
−  図４は図１及び２のコンベヤーの支持梁及びその高さ調整手段（方向Ｙ）の透視図であり、
【００４０】
−  図５は支持梁及びその高さ調整手段（方向Ｙ）の側面図であり、
【００４１】
−  図６は図１及び２のコンベヤーの支持梁及びこの梁により支持されかつ二つの案内棒を含む追加の案内手段の透視図であり、
【００４２】
−  図７は図６全体の基本案の物品の運搬方向に垂直な面での断面であり、
【００４３】
−  図８は側方位置（方向Ｘ）のコンベヤー案内棒を調整するのに使用されるジャッキ、並びにこのジャッキを一方で梁７（図８には図示せず）と、他方で制御棒（図８には図示せず）と連結するための手段の透視図であり、
【００４４】
−  図９は最大の間隔を置いて離れた案内棒に相当する第一調整位置でのコンベヤーの二つの案内棒を間隔を置いて離す（方向Ｘ）ための調整手段の下からの図であり、そして
【００４５】
−  図１０は最小の間隔を置いて離れた案内棒に相当する第一調整位置でのコンベヤーの二つの案内棒を間隔を置いて離す（方向Ｘ）ための調整手段の下からの図である。
【発明を実施するための最良の形態】
【００４６】
図１及び２はフランジを含む中空及び空のプラスチック容器の形式（瓶、フラスコ、予備成形物、‐‐‐‐‐）の吊り下げられた物品のエアジェットによる輸送のための空気コンベヤーの直線部分を示す。周知の態様では、空気コンベヤーは端同士を突き合せて取付けられた複数の部分から形成され、それらの幾つかの部分はコンベヤーラインのレイアウトに従って曲げられることができる。
【００４７】
空気コンベヤーのこの部分は下部パネル２ｂにより閉じられるＵ−形状部２ａからなるシート金属箱２を含む。この箱２は地上で脚または均等物（図示せず）により支持されることにより及び／または垂直壁及び／または天井に固定されることにより支持構造を形成する。
【００４８】
箱２の内部容積は室３（一般に“充気室”と呼ばれる）からなり、それは操作時にはコンベヤーの長さに沿って好適に分配されたファン（図示せず）により圧縮空気を供給されることを意図している。
【００４９】
添付図面に示された特別な実施態様では、パネル２ｂは縦方向ブロワー通路４を規定する中央凹所２ｃを含むように造形された金属シートである。室３とブロワー通路４は吹出しスリット５を介して連通し、これらの吹出しスリットは凹所２ｃの側壁内に設けられかつコンベヤーの長さに沿って好適に分配されている。
【００５０】
パネル２ｂの下部側に、いずれかの適切な手段により、例えばプラスチックから作られた二つの首下案内具６が取付けられており、それらはコンベヤーに沿って物品のための吊り下げ案内レールを形成するように間隔を置かれて離れておりかつ平行である。図３では、二つの首下案内具６により規定された吊り下げ面はＰで符号を付けられている。
【００５１】
図３を参照すると、コンベヤーは二つの首下案内具６上にフランジＣを介して吊り下げられている例えば空のプラスチック瓶Ｂ（または均等物）が輸送されることを可能とする。
【００５２】
操作時には、室３内の圧縮空気はブロワー通路４中に複数の輸送エアジェットの形で吹出しスリット５を介して逃げ、これらの吹出しスリットはコンベヤーの長さに沿って分配されかつ瓶上に（示された特別な例ではそれらのフランジＣの上に）向けられており、それらは輸送方向Ｔに、順々に列をなして瓶が推進されることを可能とする。
【００５３】
添付図面に関して今述べられた空気コンベヤーの構造は本発明を限定するものではない。本発明のシステムの好適実施態様は今や添付図面を参照して述べられかつコンベヤー付属品（特に追加の案内手段）の取付け及びもし必要ならその位置の調整を可能とする。本発明のシステムは吊り下げられた物品のエアジェットによる輸送を可能とする空気コンベヤーのいずれの形式に対しても実施されることができる。
【００５４】
本発明の一つの特徴によれば、空気コンベヤー部分１は支持梁７を含み、それはコンベヤー付属品がコンベヤーに沿って異なる位置に取付けられることを可能とする。この梁７は首下案内具６に実質的に平行に取付けられ、かつこれらの首下案内具６より低い高さに配置されている。それは実質的にコンベヤーの全長に沿って延びる。
【００５５】
より詳細には、示された例では、特に図３を参照すると、梁７は瓶Ｂの経路の下に、首下案内具６の直ぐ下に配置される。好ましくは、しかし本発明によれば必然的ではなく、梁７は首下案内具６により形成された吊り下げ案内レールに関して中心に置かれる。
【００５６】
添付図面の好適実施態様では、梁７は梁に沿って分配された取付け支持体８により箱２から吊り下げられる。別の代替例では、梁７は梁に沿って分配された支持体を介して地上に支持されることができる。
【００５７】
示された特別な例では、この梁７は梁７の全長に沿って延びる縦スリット７ａを持つ断面で閉じられていない輪郭を与える例えば金属から作られた少なくとも一つの硬い中空形材を含む。実際に、梁は例えば溶接により結合された幾つかの形材の端同士を突き合せた組立て品からなるであろう。その本質は二つの連続支持体８間の梁７の各部分がコンベヤー付属品のための取付け支持体として使用されるのに十分な剛性を持つことである。
【００５８】
スリット７ａのいずれかの側の梁の壁７ｂはこのスリットを持つ縦取付けレール７ｃを形成する。より詳細には、示された例では、梁７は断面でＣ形状形材を与え、取付けレール７ｃがその下部壁内に配置される。
【００５９】
本発明は添付図面の特定の梁構造に限定されない。特に、本発明は添付図面の梁７の断面の特定の輪郭を表示する支持梁に限定されず、どのような形式の梁輪郭の断面を持っても実施されることができる。更なる代替例では、梁は中実であることもできる。取付けレール７ｃは梁に取付けられた取付けレールであることができる。梁は幾つかの取付けレールを含むことができる。取付けレール７ｃはコンベヤーに沿った異なる位置にコンベヤー付属品の支持梁上への容易な取付けを可能にするいずれかの等価な取付け手段により置き換えられることができる。例えば、縦取付けスリット７ａは梁７の長さに沿って整列されかつ分配された複数の短いスリットまたは長円形の口を持つスリットにより置き換えられることができる。コンベヤーの曲がった部分では、梁は直線でなく曲がっており、物品の経路に追従する。
【００６０】
梁７の各取付け支持体８は垂直柱８ａ及び取付けブラケット８ｂを含む。垂直柱８ａは箱２の側壁の一つにいずれかの適切な手段により取付けられる。ブラケット８ｂは柱８ａと梁７の間の結合を確実とする。より詳細には、図５を参照すると、ブラケット８ｂは梁７の縦レール７ｃに取付けられ、かつ梁７に錠止手段８ｃにより固定される。
【００６１】
本発明の好ましい特徴によれば、梁７と首下案内具６の間の垂直距離、すなわち言い換えれば梁７の高さ位置は調整可能である。その目的のために、図面（特に図４と５を参照）に示された例では、各ブラケット８ｂは柱８ａに固定されている固定垂直レール９上をスライドするように取付けられている。加えて、各柱８ａ上に、線状ジャッキ状作動器１０が取付けられており、対応するブラケット８ｂをそのレール９上でスライド可能にする。従って、結果は支持梁７の高さの位置の容易かつ迅速な調整である（方向Ｙによる位置調整／図１，４及び５）。有利な態様では、ジャッキ１０は例えばコンベヤーの３メートル以上毎に予定されることができる。
【００６２】
空気コンベヤー部分１は追加の案内手段１１を備えており、それらは支持梁７により単独で支持され、結果としてこの梁７と共に垂直平行移動が可能である。
【００６３】
示された例では、これらの追加の案内手段１１は二つの平行でかつ間隔を置いて離れた案内棒１１ａを含み、それらは首下案内具６に平行に延びかつ瓶Ｂの経路のいずれかの側に配置されている〈図３〉。
【００６４】
各案内棒１１ａは梁７に沿って間隔を置かれている複数の支持装置１２を介して梁７に結合されている。図１及び２に、三つの支持装置１２が示されている。
【００６５】
より詳細には、各支持装置１２はあご１３を含み、そのあご１３は一方では案内棒１１ａをその場で把持しかつ他方ではＬの形状の支持片１４の先端に取付けられている。各Ｌ−形状の支持片１４はレール１６上をスライドするように取付けられた可動板１５に取付けられている。レール１６はＵ−形状形材１７内に取付けられ、首下案内具６の吊り下げ面Ｐに実質的に平行な面内でかつ首下案内具６に実質的に垂直な方向で案内棒１１ａの平行移動案内を可能にする（図３／調整方向Ｘ）。
【００６６】
Ｕ−形状支持形材１７は錠止具１９（図２及び７）により取付けるシステムを備えたブラケット１８（図２及び６）を介して梁７の案内レール７ｃに所定位置で取付けられかつ固定される。
【００６７】
支持梁７の取付けレール７ｃのため、案内棒１１ａの支持装置１２は有利には梁に沿ったいずれの位置でも支持梁７上に適応されることができ、これらの支持装置１２のための位置の選択に大きな柔軟性を与える。
【００６８】
方向Ｘの二つの案内棒１１ａの位置調整を可能にするために、コンベヤーは更に、梁７に取付けられた調整手段２０を含む。
【００６９】
これらの調整手段２０の好適実施態様は今やより詳細に説明されるが、この好適実施態様が本発明を限定するものではないことを考慮に入れるべきである。
【００７０】
この好適実施態様において、調整手段２０は線状ジャッキ状作動器２１を含む。
【００７１】
ジャッキ２１の本体２１ａは梁７のレール７ｃに連結手段２２を介して取付けられかつ固定される。連結手段２２は梁７中に挿入されかつ締付けにより固定される。これらの連結手段２２はスペーサー２２ｃにより互いに結合された二つのプレート２２ａ及び２２ｂを本質的に含み（図８）、レール７ｃが二つのプレート２２ａと２２ｂの間に締付けられることを可能にする。ジャッキの本体２１ａは連結プレート２２ａに関して軸Ａ１（図８）に従って回転可能に関節連結されている。ジャッキ２１はレール７ｃに取付けられているので、それは梁７に沿っていかなる位置にも柔軟な態様で容易に設置されることができる。
【００７２】
ジャッキ２１の棒２１ｂ（モーター軸）は可動プレート２３ａを含む連結手段２３上に取付けられ、棒２１ｂの先端は前記プレート２３ａに関して軸Ａ２（図８）に従って回転可能に関節連結されている。この可動プレート２３ａは梁７に本質的に平行に延びる連結棒２４に取付けられる。
【００７３】
各支持装置１２は、その側方位置調整（方向Ｘ）のために、回転円盤２５を含み、それはＵ−形状支持体１７の下に取付けられかつ首下案内具６の吊り下げ面Ｐに実質的に垂直な回転軸Ｒに従って、支持体１７に関して回転可能に取付けられている（実質的に垂直な回転軸Ｒ）。二つの正反対に対向した連結リンク２６がこの円盤２５上に取付けられている。各連結リンク２６はＵ−形状支持体１７の下方壁内に配置された横断口２７を介して円盤２５を支持装置１２のスライド板１５に連結する。各連結リンク２６は円盤２５、またはスライド板１５に関してその二つの先端で回転可能に関節連結されている。
【００７４】
各リンク２６は円盤２５の回転運動が調整方向Ｘの対応するスライド板１５の一方向または他方向の平行移動への変換を可能にする。より詳細には、円盤２５の一方向または他方向の各回転で、リンク２６は同じ調整方向Ｘであるが反対方向の対向する平行移動（固定レール１６により案内されて）をスライド板１５に同時に伝達する。従って、円盤２５の回転方向により、前述の案内棒１１ａは二つの案内棒１１ａ間の中央垂直面に関して対称的な態様で互いから離れるように、または同時に互いに向けて動く。
【００７５】
図９及び１０を参照すると、棒２４は円盤２５に関して回転可能に関節連結された連結具２８（軸Ｒ′）を介して少なくとも一つの支持装置１２により回転円盤２５に連結されている。従って、ジャッキ２１の棒２１ｂの平行移動はコンベヤーの縦方向Ｚに（一方向または他方向の）棒２４が平行移動されることを可能にする。棒２４のこの平行移動は円盤２５が軸Ｒにより一方向または他方向に旋回されることを可能にし、このため二つの案内棒１１ａの側方位置（方向Ｘ）が同時に調整されることを可能にする。
【００７６】
好ましくは、図１及び２に示されるように、棒２４は幾つかの支持装置１２により円盤２５に連結され、それが有利にジャッキ２１の数を制限する。例えば、ジャッキ２１はコンベヤーの６〜９メートル毎に予定されることができる。
【００７７】
有利な態様では、案内手段１１は前述の調整方向Ｘに平行移動で可動でありかつ案内されるので、それらは案内棒１１ａとの接触領域内で（図３）、輸送される瓶の直径に応じて所定位置にジャッキ２１により容易に調整されることができる。
【００７８】
また、有利な態様では、前述の案内棒１１ａは梁７上に取付けられ、その高さの位置は、案内棒の高さの位置がその形態に、この場合では輸送される瓶の高さに適応されるように（図３）前述のジャッキ１０により容易に調整される（調整方向Ｙ）ことができるように調整可能である。
【００７９】
案内棒１１ａの前述の方向Ｘ及びＹの調整の可能性は有利に多形態コンベヤーが得られることを可能にし、種々の形態の瓶の輸送を可能にし、案内棒１１ａのＸ及び／またはＹの位置がケースバイケースで輸送される瓶の形態に従って調整される。Ｘ及び／またはＹの異なる調整位置は瓶形態に従って案内棒１１ａの位置調整（Ｘ及び／またはＹ）を完全に自動化するように、例えばジャッキの電子コマンド装置（プログラム可能な工業用制御器、マイクロ制御器、マイクロプロセッサなど）のメモリー中に記憶されることができる。この瓶形態は例えばコマンド装置の通信インタフェース（スクリーン、キーボード）によってオペレーターにより検出される。半自動化変更例では、オペレーターはまた、例えばプッシュボタン形式の別個のコマンドにより、かつ案内棒１１ａのＸ及び／またはＹの瞬間位置を視覚的に制御することにより、別個の態様でジャッキ１０と２１を操縦することができる。
【００８０】
ジャッキ１０及び／またはジャッキ２１は非常に多い数のＸ及び／またはＹの調整位置が得られることを可能にする電気ジャッキであることが有利である。より簡単な変更例では、案内棒１１ａの位置Ｘ及び／またはＹの調整がより限定された数の位置で必要とされるとき（例えば二つまたは三つの異なる瓶形態を輸送するための二つまたは三つの異なる位置）、この場合、二つまたは三つの位置を持つ空気圧形式のジャッキによって電気ジャッキを置き換えることができる。
【００８１】
側方位置Ｘの案内棒１１ａの調整のために、本発明は添付図面を参照して述べられた調整手段２０に限定されない。特に、ジャッキ２１はジャッキの棒が本質的に横断調整方向Ｘに配向されているジャッキによって置き換えられることができ；それにもかかわらず、この解決策は図面を参照して述べられた解決策と比べて、Ｘの調整のために必要なジャッキの数を増加するという不利を与える。
【００８２】
また、自動化されておらず純粋に手動である本発明の異なる実施態様では、ジャッキ１０及び／または２１は手動で起動される調整手段によって置き換えられることができる。
【００８３】
更に簡単な実施態様では、梁７は高さ方向に不動であることができる（案内棒１１ａの方向Ｙの位置を調整する可能性を持たない）。更に簡単な実施態様では、案内棒１１ａ間の間隔は変更できない（コンベヤーを側方方向Ｘに調整する可能性を持たない）。
【００８４】
支持梁７はコンベヤーに他のコンベヤー付属品を、特に高さ方向（方向Ｙ）の位置が輸送される瓶の形態に依存するコンベヤー付属品を取付けるために有利に使用されることができる。例えば、梁７は瓶の検出手段（光電池またはいずれかの他の等価なセンサ）のための取付け支持体として使用されることができる。梁７の取付けレール７ｃのため、これらの検出手段は有利なことにコンベヤーに沿ったいずれの位置にも取付けられることができる。
【図面の簡単な説明】
【００８５】
【図１】空気コンベヤーの一つの同じ部分の一つの視角からの透視図である。
【図２】空気コンベヤーの一つの同じ部分の他の視角からの透視図である。
【図３】図１及び２のコンベヤーの基本案の物品の運搬方向に垂直な面での断面である。
【図４】図１及び２のコンベヤーの支持梁及びその高さ調整手段（方向Ｙ）の透視図である。
【図５】支持梁及びその高さ調整手段（方向Ｙ）の側面図である。
【図６】図１及び２のコンベヤーの支持梁及びこの梁により支持されかつ二つの案内棒を含む追加の案内手段の透視図である。
【図７】図６全体の基本案の物品の運搬方向に垂直な面での断面である。
【図８】側方位置（方向Ｘ）のコンベヤー案内棒を調整するのに使用されるジャッキ、並びにこのジャッキを一方で梁７（図８には図示せず）と、他方で制御棒（図８には図示せず）と連結するための手段の透視図である。
【図９】最大の間隔を置いて離れた案内棒に相当する第一調整位置でのコンベヤーの二つの案内棒を間隔を置いて離す（方向Ｘ）ための調整手段の下からの図である。
【図１０】最小の間隔を置いて離れた案内棒に相当する第一調整位置でのコンベヤーの二つの案内棒を間隔を置いて離す（方向Ｘ）ための調整手段の下からの図である。
【図１】
2008528401.tif 000003
【図２】
2008528401.tif 000004
【図３】
2008528401.tif 000005
【図４】
2008528401.tif 000006
【図５】
2008528401.tif 000007
【図６】
2008528401.tif 000008
【図７】
2008528401.tif 000009
【図８】
2008528401.tif 000010
【図９】
2008528401.tif 000011
【図１０】
2008528401.tif 000012
【国際調査報告】
2008528401.tif 000013
2008528401.tif 000014
2008528401.tif 000015
2008528401.tif 000016